(57)【要約】【課題】  継続発光が可能な光源を用いる場合に撮影者の意図した画像を撮影することができるようにする。【解決手段】  継続発光が可能な光源と、前記光源を発光させる発光時間を制御する制御手段と、前記光源の発光タイミングに関するモードを設定する設定手段と、を有し、前記制御手段は、前記設定手段により設定されたモードが先幕シンクロモードあるいは後幕シンクロモードである場合、前記設定手段により設定されたモードが先幕シンクロモード及び後幕シンクロモードのいずれでもない場合よりも、前記光源を発光させる際の発光時間を短くする。【選択図】  図４
2014232163.tif 000002
【特許請求の範囲】
【請求項１】
継続発光が可能な光源と、
前記光源を発光させる発光時間を制御する制御手段と、
前記光源の発光タイミングに関するモードを設定する設定手段と、を有し、
前記制御手段は、前記設定手段により設定されたモードが先幕シンクロモードあるいは後幕シンクロモードである場合、前記設定手段により設定されたモードが先幕シンクロモード及び後幕シンクロモードのいずれでもない場合よりも、前記光源を発光させる際の発光時間を短くすることを特徴とする照明装置。
【請求項２】
前記制御手段は、前記光源を発光させるための発光電流値を制御し、前記設定手段により設定されたモードが先幕シンクロモードあるいは後幕シンクロモードである場合、前記設定手段により設定されたモードが先幕シンクロモード及び後幕シンクロモードのいずれでもない場合よりも、前記光源を発光させる際の発光電流値を大きくすることを特徴とする請求項１に記載の照明装置。
【請求項３】
前記制御手段は、前記設定手段により設定されたモードが先幕シンクロモードあるいは後幕シンクロモードである場合、前記設定手段により設定されたモードが先幕シンクロモード及び後幕シンクロモードのいずれでもない場合よりも、前記発光電流値の上限値を大きくすることを特徴とする請求項２に記載の照明装置。
【請求項４】
前記制御手段は、前記設定手段により設定されたモードが先幕シンクロモードあるいは後幕シンクロモードである場合、前記発光電流値を予め決められた所定値にすることを特徴とする請求項２または３に記載の照明装置。
【請求項５】
前記所定値は、前記設定手段により設定されたモードが先幕シンクロモード及び後幕シンクロモードのいずれでもない場合における発光電流値の上限値よりも大きいことを特徴とする請求項４に記載の照明装置。
【請求項６】
前記所定値は、前記光源へ供給可能な電流値の上限値であることを特徴とする請求項４に記載の照明装置。
【請求項７】
前記制御手段は、前記設定手段により設定されたモードが先幕シンクロモードあるいは後幕シンクロモードである場合、前記発光電流値に基づいて前記発光時間を決定することを特徴とする請求項２ないし６のいずれか１項に記載の照明装置。
【請求項８】
前記制御手段は、前記設定手段により設定されたモードが先幕シンクロモード及び後幕シンクロモードでない場合、前記発光時間に基づいて前記発光電流値を決定することを特徴とする請求項２ないし７のいずれか１項に記載の照明装置。
【請求項９】
前記設定手段は、操作部への操作に応じて前記発光タイミングに関するモードを設定することを特徴とする請求項１ないし８のいずれか１項に記載の照明装置。
【請求項１０】
撮像装置と通信を行う通信手段を有し、
前記設定手段は、前記通信手段を介して受けた撮像装置からの信号に応じて前記発光タイミングに関するモードを設定することを特徴とする請求項１ないし９のいずれか１項に記載の照明装置。
【請求項１１】
撮像素子と、
継続発光が可能な光源を発光させる発光時間を制御する制御手段と、
前記撮像素子の露光タイミングに対する前記光源の発光タイミングに関するモードを設定する設定手段と、を有し、
前記制御手段は、前記設定手段により設定されたモードが先幕シンクロモードあるいは後幕シンクロモードである場合、前記設定手段により設定されたモードが先幕シンクロモード及び後幕シンクロモードのいずれでもない場合よりも、前記光源を発光させる際の発光時間を短くすることを特徴とする撮像装置。
【請求項１２】
前記制御手段は、前記設定手段により設定されたモードが後幕シンクロモードである場合、前記撮像素子の全露光の終了直前に前記光源を閃光発光させることを特徴とする請求項１１に記載の撮像装置。
【請求項１３】
前記制御手段は、前記設定手段により設定されたモードが先幕シンクロモードである場合、前記撮像素子の全露光の開始直後に前記光源を閃光発光させることを特徴とする請求項１１または１２に記載の撮像装置。
【請求項１４】
前記制御手段は、前記設定手段により設定されたモードが先幕シンクロモード及び後幕シンクロモードのいずれでもない場合、前記撮像素子の全露光の開始前から前記光源を継続発光させることを特徴とする請求項１１ないし１３のいずれか１項に記載の撮像装置。
【請求項１５】
前記撮像素子の全露光とは、前記撮像素子の撮像領域全体が露光されることを表すことを特徴とする請求項１２ないし１４のいずれか１項に記載の撮像装置。
【請求項１６】
継続発光が可能な光源を発光させる発光時間を制御する制御ステップと、
前記光源の発光タイミングに関するモードを設定する設定ステップと、を有し、
前記制御ステップは、前記設定ステップで設定されたモードが先幕シンクロモードあるいは後幕シンクロモードである場合、前記設定ステップで設定されたモードが先幕シンクロモード及び後幕シンクロモードのいずれでもない場合よりも、前記光源を発光させる際の発光時間を短くすることを特徴とする発光制御方法。
【請求項１７】
請求項１６に記載の発光制御方法をコンピュータに実行させるためのプログラム。
【発明の詳細な説明】
【技術分野】
【０００１】
本発明は、継続発光が可能な光源を有する照明装置及び当該照明装置を制御する撮像装置に関する。
【背景技術】
【０００２】
撮像装置の撮影時に用いる照明装置において、光源にキセノン管を用いる場合、発光強度が高い瞬間的な高輝度発光（閃光発光）により必要光量を得ることが知られている。一方、継続発光が可能な光源（例えば、発光ダイオード）を用いる場合、キセノン管と比べて低い発光強度で継続発光させることにより必要光量を得る技術が知られている（特許文献１）。
【先行技術文献】
【特許文献】
【０００３】
【特許文献１】特開２００５−１６５２０４号公報
【発明の概要】
【発明が解決しようとする課題】
【０００４】
しかしながら、継続発光が可能な光源を用いる場合に、比較的低い発光強度で継続発光させるだけでは撮影者の意図した画像を撮影することができない場合が考えられる。
【０００５】
そこで、本発明は、継続発光が可能な光源を用いる場合に撮影者の意図した画像を撮影することができるようにすることを目的とする。
【課題を解決するための手段】
【０００６】
上記目的を達成するために、本発明に係る照明装置は、継続発光が可能な光源と、前記光源を発光させる発光時間を制御する制御手段と、前記光源の発光タイミングに関するモードを設定する設定手段と、を有し、前記制御手段は、前記設定手段により設定されたモードが先幕シンクロモードあるいは後幕シンクロモードである場合、前記設定手段により設定されたモードが先幕シンクロモード及び後幕シンクロモードのいずれでもない場合よりも、前記光源を発光させる際の発光時間を短くすることを特徴とする。
【０００７】
また、上記目的を達成するために、本発明に係る撮像装置は、撮像素子と、継続発光が可能な光源を発光させる発光時間を制御する制御手段と、前記撮像素子の露光タイミングに対する前記光源の発光タイミングに関するモードを設定する設定手段と、を有し、前記制御手段は、前記設定手段により設定されたモードが先幕シンクロモードあるいは後幕シンクロモードである場合、前記設定手段により設定されたモードが先幕シンクロモード及び後幕シンクロモードのいずれでもない場合よりも、前記光源を発光させる際の発光時間を短くすることを特徴とする。
【発明の効果】
【０００８】
本発明によれば、継続発光が可能な光源を用いる場合に撮影者の意図した画像を撮影することができる。
【図面の簡単な説明】
【０００９】
【図１】本発明の実施の形態に係る照明装置２００及び照明装置２００を備える撮像装置１００の構成を示すブロック図である。
【図２】発光部２０４の光源に用いられるＬＥＤの、発光強度と発光電流値との関係を表す発光強度特性を示した図である。
【図３】発光撮影を行う場合の処理のフローチャートを示した図である。
【図４】発光制御値の設定処理のフローチャートを示した図である。
【図５】照明装置２００の発光タイミングのモードごとの発光部２０４の発光期間と撮像部１０５の撮像素子の露光期間との関係を示した図である。
【発明を実施するための形態】
【００１０】
以下、本発明の実施形態について図面を参照して説明する。図１は、本実施形態に係る照明装置２００及び照明装置２００を備える撮像装置１００の構成を示すブロック図である。
【００１１】
撮像装置１００は、バッテリ１０１、電源部１０２、ＣＰＵ１０３、測光部１０４、撮像部１０５、操作部１０６及び照明装置２００を備える。なお、照明装置２００は、撮像装置１００に対して着脱可能でもよく、撮像装置１００に設けられたアクセサリーシュー端子などを介して撮像装置１００に接続されてもよい。また、バッテリ１０１は撮像装置１００に対して着脱可能でもよいし、電源ケーブルなどを介して撮像装置１００に接続される外部電源でも構わない。
【００１２】
バッテリ１０１は、照明装置２００や電源部１０２などに電力を供給する。電源部１０２は、バッテリ１０１の電力供給を受けて定電圧を各部に供給する。ＣＰＵ１０３は、撮像装置１００の各部を制御する。測光部１０４は、撮像部１０５で撮像を行い得られた画像データに基づいて被写体の測光を行う。なお、測光部１０４は、撮像部１０５とは別に測光センサを有する構成であれば、測光センサの出力に基づいて被写体の測光を行ってもよい。撮像部１０５は、ＣＣＤやＣＭＯＳなどの撮像素子を有し、被写体の撮像を行い画像データを出力する。また、撮像部１０５には、撮像素子への入射光量の調節に用いる絞りや撮像素子の露光時間の制御に用いるフォーカルプレンシャッター（以下、シャッターとする）なども備える。
【００１３】
操作部１０６は、撮影準備動作や撮影動作を開始させるための操作を受け付けるレリーズボタン、撮像装置１００の動作モードや照明装置２００の発光モードを設定するための操作を受け付ける設定ボタンなどを有する。ＣＰＵ１０３は、操作部１０６への操作に応じて撮像装置１００の動作モードや照明装置２００の発光モードを設定する。
【００１４】
照明装置２００は、昇圧部２０１、キャパシタ２０２、発光制御部２０３、発光部２０４を備える。昇圧部２０１は、電源部１０２から供給される電圧を昇圧してキャパシタ２０２の充電を行う。キャパシタ２０２は、電気二重層キャパシタなどを用いており、発光部２０４の光源であるＬＥＤの順方向電圧よりも高い電圧まで充電可能である。発光制御部２０３は、ＣＰＵ１０３の指示に応じて、発光時に発光部２０４に供給する電流値（以下、発光電流値とする）及び発光部２０４の発光時間を制御する。ＬＥＤを光源とする発光部２０４は、継続発光が可能であり、被写体が暗い場合などに撮像補助光として用いられる。
【００１５】
図２は、発光部２０４の光源に用いられるＬＥＤの、発光電流値と発光強度との関係を表す発光強度特性を示した図である。図２において、横軸のＬＥＤ順方向電流ＩＦ［ｍＡ］が発光電流値に相当し、縦軸の全光束［ｌｍ］が発光強度に相当する。
【００１６】
図２に示すように、ＬＥＤ順方向電流ＩＦが所定値未満の範囲では、ＬＥＤ順方向電流ＩＦと全光束との線形性が保たれている。一方、ＬＥＤ順方向電流ＩＦが所定値以上の範囲ではＬＥＤ順方向電流ＩＦと全光束との線形性が保たれず非線形となっている。これは、ＬＥＤに大電流を流すことでＬＥＤが発熱するからである。
【００１７】
図２からわかるように、ＬＥＤを効率よく発光させるためには、発光電流値と発光強度との線形性が保たれるような所定値未満の発光電流値を供給することが好ましい。
【００１８】
次に、図３を用いて、照明装置２００の発光を伴う撮影（以下、発光撮影とする）を行う場合の処理を説明する。図３は、発光撮影を行う場合の処理のフローチャートを示した図である。なお、図３では、照明装置２００の発光モードとして撮影のたびに発光を行う常時発光モードが設定されているものとし、各ステップの処理が完了すると次のステップへ移行するものとする。
【００１９】
操作部１０６のレリーズボタンに対して撮影動作を開始させるための操作がなされると、ステップＳ１０１で、ＣＰＵ１０３は、測光部１０４に被写体の測光を行わせ、発光部２０４が発光していないときの被写体の測光値を取得する。
【００２０】
ステップＳ１０２では、ＣＰＵ１０３は、発光制御部２０３に対して発光部２０４によるプリ発光を行うように指示する。発光制御部２０３は、ＣＰＵ１０３の指示に応じて発光制御値として予め決められた発光時間及び発光電流値を設定し、設定された発光制御値に基づいて発光部２０４を発光させる。このとき、ＣＰＵ１０３は、測光部１０４に被写体の測光を行わせ、発光部２０４がプリ発光しているときの被写体の測光値を取得する。
【００２１】
ステップＳ１０３では、ＣＰＵ１０３は、発光部２０４が発光していないときの被写体の測光値（以下、非発光測光値とする）及び発光部２０４がプリ発光しているときの被写体の測光値（以下、プリ発光測光値とする）に基づいて、本発光量を演算する。ここでＣＰＵ１０３は、プリ発光測光値と非発光測光値との差分からプリ発光による測光値の増加量を求め、目標とする測光値を得るために必要な本発光量として、プリ発光量に対する比率を演算する。なお、本発光量の演算方法は上述した方法に限らない。例えば、非発光測光値がプリ発光測光値に比べて十分小さく、プリ発光測光値がプリ発光による測光値の増加量と実質的に等しいと考え、プリ発光測光値のみに基づいて本発光量を演算してもよい。また、プリ発光量に対する本発光量の比率を演算するのではなく、本発光量の絶対値を演算してもよい。
【００２２】
Ｓ１０４では、ＣＰＵ１０３は、演算された本発光量で発光部２０４を発光させるための発光電流値や発光時間などの発光制御値を設定する。発光制御値の設定処理については後述する。
【００２３】
Ｓ１０５では、ＣＰＵ１０３は、発光制御部２０３に対して発光部２０４による本発光を行うように指示する。発光制御部２０３は、ＣＰＵ１０３の指示に応じてステップＳ１０４で設定された発光制御値に基づいて発光部２０４を発光させる。このとき、ＣＰＵ１０３は、設定された動作モードに応じたタイミングで撮像部１０５の撮像素子を露光させて発光撮影を行う。
【００２４】
次に、図４を用いてステップＳ１０４における発光制御値の設定処理について説明する。図４は、発光制御値の設定処理のフローチャートを示した図である。
【００２５】
発光制御値の設定処理を開始すると、ステップＳ２０１では、ＣＰＵ１０３は、ステップＳ１０２で演算された本発光量を取得し、ステップＳ２０２へ移行する。
【００２６】
ステップＳ２０２では、ＣＰＵ１０３は、照明装置２００の発光タイミングに関する情報（以下、発光タイミング情報とする）を取得し、ステップＳ２０３へ移行する。照明装置２００の発光タイミングは、操作部１０６への操作により複数のモードから設定可能である。発光タイミングに関する複数のモードは、撮像部１０５の撮像素子の撮像領域全体の露光開始直後に瞬間的な発光を行う先幕シンクロモード、撮像素子の撮像領域全体の露光終了直前に瞬間的な発光を行う後幕シンクロモード、継続発光を行う通常モードを有する。ここで、シャッターを駆動させて撮像素子を遮光状態から露光状態にする場合には、シャッターの動きに合わせて撮像素子が領域毎に露光状態となっていく。そのため、以下では、撮像素子が露光され始めるタイミングと区別するために、撮像素子の撮像領域全体が露光状態となったタイミングを全露光開始のタイミングとする。同様に、撮像素子の撮像領域の一部が遮光状態となったタイミングを全露光終了のタイミングとする。
【００２７】
先幕シンクロモードは、撮像部１０５の撮像素子の全露光開始直後に瞬間的な発光（閃光発光）を行うため、撮影動作の開始指示から被写体に必要な光量を発光するまでに要する時間が通常モードに比べて短い。そのため、先幕シンクロモードは、発光部２０４に照射される被写体が動体であってもシャッターチャンスを逃しにくいモードといえる。一方、後幕シンクロモードは、撮像部１０５の撮像素子の全露光終了直前に瞬間的な発光（閃光発光）を行うため、光源を有する被写体の移動に伴う光源の光跡を、発光部２０４に照射される被写体の後に残すことができ、被写体の動感を自然に表現するのに有効なモードといえる。以上のように、本実施形態では、撮影者の多様な撮影意図に応えるために照明装置２００の発光タイミングを変更可能にしている。
【００２８】
ステップＳ２０３では、ＣＰＵ１０３は、撮像部１０５の撮像素子の露光タイミングに対する照明装置２００の発光タイミングに関するモード（以下、発光タイミングのモードとする）が通常モードあるか否かを判定する。発光タイミングのモードが通常モードであればステップＳ２０４へ移行し、通常モード以外のモードであればステップＳ２０８へ移行する。
【００２９】
ステップＳ２０４では、ＣＰＵ１０３は、発光撮影を行う際の撮像部１０５の露光時間（電荷蓄積時間）を取得し、ステップＳ２０５へ移行する。なお、発光撮影を行う際の撮像部１０５の露光時間の決定方法は特に限定されず、操作部１０６のレリーズボタンに対して撮影動作を開始させるための操作がなされる直前に測光部１０４で測光を行い得られた測光値に基づいてＣＰＵ１０３が決定してもよい。あるいは、操作部１０６へのユーザ操作に応じて決定してもよい。
【００３０】
ステップＳ２０５では、ＣＰＵ１０３は、発光部２０４の発光時間を演算し、ステップＳ２０６へ移行する。発光部２０４の光源であるＬＥＤは継続発光が可能なため、露光時間が長くなるにつれて発光時間も長くなっていく。しかしながら、発光時間が長くなるほど被写体ブレや手ぶれを引き起こしやすくなる。そこで、被写体ブレや手ぶれの影響を考慮して予め発光時間の上限値を設定しておく。例えば、上限値が２０ｍｓの場合、露光時間が２０ｍｓよりも長くない場合は発光時間＝露光時間とし、露光時間が２０ｍｓよりも長い場合は発光時間＝２０ｍｓとする。
【００３１】
なお、撮像装置１００が被写体ブレや手ぶれを検出するぶれ検出部を有する場合には、ぶれ検出部の検出結果に基づいて上限値を設定してもよい。例えば、撮像装置１００を三脚に固定して静止している被写体を撮影する場合には、発光時間が長くても被写体ブレや手ぶれを引き起こしにくいので、ぶれ検出部で検出されたぶれの程度が小さいほど上限値を大きくしてもよい。
【００３２】
ステップＳ２０６では、ＣＰＵ１０３は、ステップＳ２０１で取得された本発光量とステップＳ２０５で演算された発光時間とに基づいて、発光電流値を演算する。すなわち、ステップＳ２０５で演算された発光時間だけ発光部２０４を発光させた場合に、発光量の積分値がステップＳ２０１で取得された本発光量となるような発光電流値を演算する。なお、ステップＳ２０６で演算された発光電流値が発光部２０４の発光強度特性の線形性が保たれる電流値より大きくなる場合も考えられる。その場合、ステップＳ２０５で演算された発光時間が上限値よりも長くなければ、発光強度特性の線形性が保たれる電流値の上限値と演算された発光電流値との差分に相当する光量のアンダー分だけＳ２０５で演算された発光時間を長く補正すればよい。ステップＳ２０５で演算された発光時間が上限値と等しければ、光量のアンダー分だけＳ２０５で演算された発光時間を長く補正するか、光量がアンダーのまま発光撮影を行うか、絞りやＩＳＯ感度を光量のアンダー分だけ高露出側に補正するか選択すればよい。いずれを選択するかは、操作部１０６へのユーザ操作に応じて設定されている撮像装置１００の動作モードなどに応じてＣＰＵ１０３が選択すればよい。
【００３３】
ステップＳ２０６で発光電流値が演算されると、ステップＳ２０７でＣＰＵ１０３は、上述の処理で演算された発光時間及び発光電流値を発光制御値として設定する。
【００３４】
以上のようにして発光制御値が設定されると発光制御値設定処理を終了し、ステップＳ１０４へ移行する。
【００３５】
ステップＳ２０３で照明装置２００の発光タイミングのモードが通常モードでないと判定された場合、ステップＳ２０８でＣＰＵ１０３は、ステップＳ２０１で取得された本発光量と制御可能な最大発光電流値とに基づいて、発光時間を演算する。すなわち、制御可能な最大発光電流値で発光部２０４を発光させた場合に、発光量の積分値がステップＳ２０１で取得された本発光量となるような発光時間を演算する。制御可能な発光電流値は、発光部２０４へ供給可能な電流値の上限値に相当し、発光部２０４の発光強度特性が非線形となる電流値である。以上のように、ＣＰＵ１０３は、照明装置２００の発光タイミングのモードが通常モードでない場合、通常モードの場合よりも発光電流値の上限値を大きくしている。
【００３６】
ステップＳ２０８で発光時間が演算されると、ステップＳ２０９でＣＰＵ１０３は、上述の処理で演算された発光時間及び最大発光電流値を発光制御値として設定し、ステップＳ２１０へ移行する。なお、発光電流値は最大発光電流値でなくてもよく、通常モードにおける発光電流値の上限値よりも大きい予め決められた所定値であってもよい。
【００３７】
ステップＳ２１０では、ＣＰＵ１０３は、照明装置２００の発光タイミングのモードが先幕シンクロモードか否かを判定し、先幕シンクロモードであればステップＳ２１１へ移行する。一方、先幕シンクロモードでなければ（後幕シンクロモードであれば）Ｓ２１２へ移行する。
【００３８】
ステップＳ２１１では、ＣＰＵ１０３は、照明装置２００の発光タイミングが撮像部１０５の撮像素子の露光期間の前半になるように、撮像素子の露光開始タイミングに基づいて発光部２０４の発光開始タイミングを設定し、ステップＳ１０４へ移行する。
【００３９】
ここで、先幕シンクロモードにおける発光部２０４の発光期間と撮像部１０５の撮像素子の露光期間との関係を図５を用いて説明する。図５は、照明装置２００の発光タイミングのモードごとの発光部２０４の発光期間と撮像部１０５の撮像素子の露光期間との関係を示した図である。
【００４０】
図５に示すように、通常モードでは、シャッターが走行を開始して撮像素子が露光され始めるタイミングｔ１に合わせて発光部２０４の発光を開始させる。そして、設定された露光時間だけ発光部２０４を発光させる。図５では、発光時間と露光時間が等しい場合を示しており、撮像素子の露光が終了する（撮像素子が遮光される）タイミングｔ５に合わせて発光部２０４の発光を終了している。このように、通常モードでは、発光時間を長くして、発光部２０４の発光強度、すなわち、発光電流値を抑えている。なお、前述したように、シャッターの動きに合わせて撮像素子が領域毎に露光状態あるいは遮光状態となっていくため、撮像素子の各領域に対して露光時間と発光時間を等しくするためには、最初の領域の露光開始から最後の領域の露光終了まで発光する必要がある。そのため、図５に示すように、総発光時間（ｔ１〜ｔ５）は、露光時間（ｔ１〜ｔ４、あるいは、ｔ２〜ｔ５）よりも長くなり、撮像素子の全露光の開始前から全露光の終了後まで発光部２０４を発光させることになる。
【００４１】
一方、先幕シンクロモードでは、撮像素子の全露光の開始タイミングｔ２に合わせて発光部２０４の発光を開始させる。そして、最大発光電流値で発光させ設定された発光時間が経過したタイミングｔ３で発光を終了させる。なお、図５では、撮像素子の全露光の開始タイミングｔ２に合わせて発光部２０４の発光を開始させているが、先幕シンクロモードでは、ｔ２から遅れて発光部２０４を発光させてもよく、撮像素子の露光期間の前半で発光が終了するタイミングであればよい。
【００４２】
ステップＳ２１０で後幕シンクロモードと判定された場合、Ｓ２１２でＣＰＵ１０３は、撮像素子の全露光の終了タイミングと発光時間とに基づいて、発光部２０４の発光タイミングを演算する。すなわち、撮像素子の全露光の終了タイミングから発光時間を逆算して、撮像素子の全露光の終了タイミングまでに発光部２０４の発光が終了するように発光タイミングを演算する。
【００４３】
そして、ステップＳ２１１でＣＰＵ１０３は、演算された発光タイミングに基づいて発光部２０４の発光開始タイミングを設定し、ステップＳ１０４へ移行する。
【００４４】
図５に示すように、後幕シンクロモードでは、撮像素子の全露光の終了タイミングｔ４に合わせて発光部２０４の発光が終了するように、ｔ４よりも発光時間分だけ前のタイミングｔ６で発光部２０４の発光を開始させる。そして、最大発光電流値で発光させ設定された発光時間が経過したタイミングｔ４で発光を終了させる。なお、図５では、撮像素子の全露光の終了タイミングｔ４で発光部２０４の発光を終了させているが、後幕シンクロモードでは、ｔ４よりも前に発光部２０４の発光を終了させてもよく、撮像素子の露光期間の後半に発光が行われるようにすればよい。
【００４５】
図５に示すように、ＣＰＵ１０３は、設定されたモードが先幕シンクロモードあるいは後幕シンクロモードが設定された場合、設定されたモードが先幕シンクロモード及び後幕シンクロモードのいずれでもない場合よりも、発光部２０４の発光時間を短くする。また、ＣＰＵ１０３は、設定されたモードが先幕シンクロモードあるいは後幕シンクロモードである場合、設定されたモードが先幕シンクロモード及び後幕シンクロモードのいずれでもない場合よりも、発光部２０４の発光電流値を大きくする。
【００４６】
以上のように、継続発光が可能な光源を使用した場合でも、撮影者の意図に合わせた期間でのみ光源を発光させるので、撮影者の意図した画像を撮影することができる。
【００４７】
上記の実施形態では、撮像装置１００の操作部１０６への操作に応じて発光部２０４の発光タイミングに関するモードを設定する例を説明した。しかしながら、照明装置２００が撮像装置１００に対して着脱可能であり、操作部を有する構成であれば、照明装置２００のＣＰＵが、照明装置２００の操作部への操作に応じて発光部２０４の発光タイミングに関するモードを設定してもよい。また、照明装置２００が撮像装置１００に対して着脱可能な構成であれば、照明装置２００のＣＰＵが、通信手段を介して受けた撮像装置１００からの信号に応じて発光部２０４の発光タイミングに関するモードを設定してもよい。
【００４８】
また、照明装置２００が撮像装置１００に対して着脱可能な構成の場合、撮像装置１００のＣＰＵ１０３が実行した発光部２０４の発光制御に関する処理を照明装置２００のＣＰＵが実行してもよい。
【００４９】
なお、本発明は、以下の処理を実行することによっても実現される。即ち、本実施形態の機能を実現するソフトウェア（プログラム）を、ネットワーク又は各種記憶媒体を介してシステムあるいは装置に供給し、そのシステムあるいは装置のコンピュータ（またはＣＰＵやＭＰＵなど）がプログラムを読み出して実行する処理である。
【符号の説明】
【００５０】
１００  撮像装置
１０３  ＣＰＵ
１０５  撮像部
１０６  操作部
２００  照明装置
２０３  発光制御部
２０４  発光部
【図１】
2014232163.tif 000003
【図２】
2014232163.tif 000004
【図３】
2014232163.tif 000005
【図４】
2014232163.tif 000006
【図５】
2014232163.tif 000007